(57)【要約】【課題】流通過程や店頭で蓋が不正開封されると、不正開封された証拠が残り、不正開封されたことを外観から一目瞭然に確認することができる不正開封防止機能付キャップを提供する。【解決手段】プルリング144 で開封するキャップ本体100 の周壁後方上端部に、ヒンジ300 を介して蓋200 が開閉可能に接続するヒンジキャップであって、蓋の周壁220 のヒンジ対向側下端に、開閉用つまみ230 を突設し、この開閉用つまみの左右方向の中央先端位置に、薄肉脆弱線401 を介して不正開封防止用接続帯400 の一方の先端を接続し、この不正開封防止用接続帯の他方の先端に、薄肉脆弱線402 を介して周壁510 の下端内周面に係止リング520 をもつ係止環500 の外周上端を接続し、蓋をキャップ本体に閉じて、係止環をキャップ本体の周壁下端部に掛着して封止する。【選択図】図１
2006016052.tif 000002
【特許請求の範囲】
【請求項１】
プルリングで開封するキャップ本体の周壁後方上端部に、ヒンジを介して蓋が開閉可能に接続するヒンジキャップであって、蓋の周壁のヒンジ対向側下端に、開閉用つまみを突設し、この開閉用つまみの左右方向の中央先端位置に、薄肉脆弱線を介して不正開封防止用接続帯の一方の先端を接続し、この不正開封防止用接続帯の他方の先端に、薄肉脆弱線を介して周壁の下端内周面に係止リングをもつ係止環の外周上端を接続し、蓋をキャップ本体に閉じて、係止環をキャップ本体の周壁下端部に掛着して封止したことを特徴とする不正開封防止機能付キャップ。
【発明の詳細な説明】
【技術分野】
【０００１】
本発明は、キャップ本体の後方部に蓋がヒンジを介して開閉可能に接続するヒンジキャップであり、流通過程や店頭でキャップが不正開封されると、不正開封されたことが、外観から一目瞭然に判明することができる不正開封防止機能付キャップに関するものである。
【背景技術】
【０００２】
従来、市場の店頭などで商品の不正開封、例えば、ＰＥＴボトル（ポリエチレンテレフタレートを二軸延伸ブロー成形したボトル）の口頸部には、キャップ本体にヒンジを介して蓋が接続するヒンジキャップが螺合又は咬合により装着されているが、このキャップの蓋が故意に開けられ、キャップ本体の注出筒に収容されているプルリングを引っ張って、注出筒の内側下方の封鎖板に設けられている環状薄肉脆弱線を破断してキャップ本体を開封したのちに、再度、蓋をキャップ本体に閉じて、そのまま店頭に戻すと言う悪戯が多く見られいた。
【発明の開示】
【発明が解決しようとする課題】
【０００３】
しかしながら、上述の従来の蓋付のキャップは、注出筒を封止する封鎖板をプルリングにより開口して初めて容器が開封されるものであるため、一般的には、蓋の不正開封防止策は取られていなかった。不正開封防止機能をもつキャップも開発されつつあるが、不正開封されても、不正開封されたことが外観から分かりにくいものであった。
【０００４】
本発明は、上述の従来のキャップの問題点を解決したものであり、流通過程や店頭で蓋が不正開封されると、不正開封された証拠が残り、不正開封されたことを外観から一目瞭然に確認することができる不正開封防止機能付キャップを提供するものである。
【課題を解決するための手段】
【０００５】
すなわち、本発明は、プルリングで開封するキャップ本体の周壁後方上端部に、ヒンジを介して蓋が開閉可能に接続するヒンジキャップであって、蓋の周壁のヒンジ対向側下端に、開閉用つまみを突設し、この開閉用つまみの左右方向の中央先端位置に、薄肉脆弱線を介して不正開封防止用接続帯の一方の先端を接続し、この不正開封防止用接続帯の他方の先端に、薄肉脆弱線を介して周壁の下端内周面に係止リングをもつ係止環の外周上端を接続し、蓋をキャップ本体に閉じて、係止環をキャップ本体の周壁下端部に掛着して封止したことを特徴とする不正開封防止機能付キャップである。
【発明の効果】
【０００６】
本発明の不正開封防止機能付キャップ（１０）は、図３（ａ）及び（ｂ）に示すように、蓋（２００）をキャップ本体（１００）に閉じて未開封の場合には、蓋の後方部は、ヒンジ（３００）を介してキャップ本体に接続し、また、蓋の前方部に突設する開閉用つまみ（２３０）の左右方向の中央先端位置には、薄肉脆弱線（４０１）を介して不正開封防止用接続帯（４００）が接続し、この不正開封防止用接続帯の下端には、図４に示すように、薄肉脆弱線（４０２）を介して周壁（５１０）の下端内周面に係止リング（５２０）をもつ係止環（５００）が接続し、この係止環は、キャップ本体（１００）の周壁（１５０）下端部に掛着している。このため、流通過程や店頭などで、開閉用つまみで蓋をキャップ本体から不正開封されると、不正開封防止用接続帯の上端又は下端の薄肉脆弱線（４０１又は４０２）、または、両端の薄肉脆弱線（４０１及び４０２）が必ず破断される。この破断された不正開封防止用接続帯は、元の状態に戻すことは不可能であるため、不正
開封されたことの証拠が残り、この不正開封防止用接続帯の薄肉脆弱線の破断から、不正開封されことが、外観から一目瞭然に確認できる。
【発明を実施するための最良の形態】
【０００７】
次に、本発明の不正開封防止機能付キャップの一実施形態について、図を用いて詳細に説明する。
【０００８】
図１は、本実施形態の不正開封防止機能付キャップの蓋を開いた状態における平面図であり、図２は、そのＡ−Ａ’線断面図である。図３（ａ）は、図１の不正開封防止機能付キャップの蓋をキャップ本体に閉じて不正開封防止接続帯を掛着して封止したときの平面図であり、図３（ｂ）は、その正面図である。図４は、蓋をキャップ本体に閉じて不正開封防止接続帯を掛着したときのキャップ本体と蓋と不正開封防止接続帯の嵌合状態を示す要部の断面図である。
【０００９】
本実施形態の不正開封防止機能付キャップ（１０）は、図２に示すように、プルリング（１４４）で注出筒（１３０）の内側を封止する封鎖板（１４０）を開口するキャップ本体（１００）に、ヒンジ（３００）を介して開閉可能に蓋（２００）が接続するいわゆるヒンジキャップであり、流通過程や店頭における不正開封防止機能を有するキャップである。なお、本実施形態の不正開封防止機能付キャップは、環状薄肉脆弱線（１４２）や薄肉脆弱線（４０１，４０２）をもちこれに所定の力（開封するための通常の力）が加わったときに破断される必要があるため、破断可能な低密度ポリエチレンなどの熱可塑性樹脂を用いて、射出成形法により図２に示すキャップ本体（１００）、ヒンジ（３００）、蓋（２００）、不正開封防止用接続帯（４００）及び係止環（５００）を一体に成形するものである。なお、薄肉脆弱線の強度は、成形材料の材質、厚み及び幅などにより調整されるものである。
【００１０】
本実施形態の不正開封防止機能付キャップ（１０）の構造は、図１に示すように、キャップ本体（１００）の周壁（１５０）後方上端部に蓋（２００）がヒンジ（３００）を介して開閉可能に接続し、蓋の前方部の開閉用つまみ（２２１）の左右方向の中央先端位置に、薄肉脆弱線（４０１）を介して不正開封防止用接続帯（４００）が接続し、この不正開封防止用接続帯の他方端に、薄肉脆弱線（４０２）を介して係止環（５００）が接続するものである。
【００１１】
キャップ本体（１００）は、図２に示すように、天板（１１０）の外周内側縁部に、上端外周に蓋（２００）との咬合リング（１２１）をもつ液垂れ防止筒（１２０）を突設し、その内側の天板下面に容器とのインナー封止リング（１１１）（外周面を容器口頸部内周面に密接）を垂設し、その内側に、注出筒（１３０）を設け、この注出筒の内側下端に封鎖板（１４０）を設けて封鎖し、この封鎖板の開口予定位置に、下面に環状切込み（１４１）を設けて上面に環状薄肉脆弱線（１４２）を形成し、この環状薄肉脆弱線の内側近傍位置に、先端にプルリング（１４４）をもつ支柱（１４３）を突設し、周壁（１５０）の下端内周面に容器との咬合リング（１５１）を設けるものである。
【００１２】
蓋（２００）は、図１に示すように、天板（２１０）の下面にキャップ本体（１００）とのインナー封止リング（２１１）（外周面をキャップ本体の注出筒上端部内周面に密接）を垂設し、周壁（２２０）の下端内周面にキャップ本体との咬合リング（２２１）を設けるものである。そして、不正開封防止用接続帯（４００）は、図１に示す帯状で、図４に示すように、上端を蓋（２００）の開閉用つまみ（２３０）に薄肉脆弱線（４０１）で接続し、下端を薄肉脆弱線（４０２）で係止環（５００）の周壁（５１０）の外周上端部に接続するものである。また、係止環（５００）は、図４に示すように、周壁（５１０）の下端内周面にキャップ本体（１００）との係止リング（５２０）を設けものである。
【００１３】
上述した本実施形態の不正開封防止機能付キャップ（１０）は、図３（ａ）及び（ｂ）に示すように、蓋（２００）をキャップ本体（１００）に閉じて、蓋の前方部に突設する開閉用つまみ（２３０）の中央先端位置に、上端を薄肉脆弱線（４０１）を介して接続する不正開封防止用接続帯（４００）の下端に、薄肉脆弱線を介して接続する係止環（５００）を、図４に示すように、キャップ本体（１００）の周壁（１５０）下端外周部と下面に、係止環の周壁（５１０）と係止リング（５２０）とを掛着してキャップを封止するものである。そして、この封止したキャップを、内容物を充填した容器の口頸部に、打栓方式で装着するものである。なお、容器との装着は、本実施形態の咬合によるものに限るものではなく、螺合によるものでもよい。
【００１４】
上述した本実施形態の不正開封防止機能付キャップ（１０）は、図４に示す蓋（２００）の開封用つまみ（２３０）と不正開封防止用接続帯（４００）と接続する薄肉脆弱線（４０１）、不正開封防止用接続帯と係止環（５００）を接続する薄肉脆弱線（４０２）のいずれか一方又は両方を破断することなくしては、キャップを開封することはできなかった。また、この薄肉脆弱線の破断の状況は、外観から一目瞭然に確認されるものであった。
【図面の簡単な説明】
【００１５】
【図１】本発明の一実施形態の不正開封防止機能付キャップの蓋を開いた状態における平面図である。
【図２】図１のＡ−Ａ’線断面図である。
【図３】図１の不正開封防止機能付キャップにおいて、（ａ）は、蓋をキャップ本体に閉じて不正開封防止接続帯を掛着して封止したときの平面図であり、（ｂ）は、その正面図である。
【図４】蓋をキャップ本体に閉じて不正開封防止接続帯をキャップ本体に掛着したときのキャップ本体と蓋と不正開封防止接続帯の嵌合状態を示す要部の断面図である。
【符号の説明】
【００１６】
１０……不正開封防止機能付キャップ
２０……容器口頸部
２１，１２１，２２１，１５１……咬合リング
１００……キャップ本体
１１０，２１０……天板
１１１，２１１……インナー封止リング
１２０……液垂れ防止筒
１３０……注出筒
１４０……封鎖板
１４１……環状切込み
１４２……環状薄肉脆弱線
１４３……支柱
１４４……プルリング
１５０，２２０，５１０……周壁
２００……蓋
２３０……開閉用つまみ
３００……ヒンジ
４００……不正開封防止用接続帯
４０１，４０２……薄肉脆弱線
５００……係止環
５２０……係止リング
【図１】
2006016052.tif 000003
【図２】
2006016052.tif 000004
【図３】
2006016052.tif 000005
【図４】
2006016052.tif 000006